【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】  剛性と可撓性の変更可能なスポーツ機器であって、本体を有したスポーツ用具と、特定方向については他の方向よりも剛性がありかつ可撓性が少ない延在抗撓性背骨材とを有しており、該背骨材が本体に沿っての少なくとも１個の位置で回転に対して固定されていることを特徴とするスポーツ機器。
【請求項２】  少なくとも１個のロック要素が本体に沿った少なくとも１個の位置で回転に対して背骨材を固定していることを特徴とする請求項１に記載のスポーツ機器。
【請求項３】  さらにロック要素が含まれており、該ロック要素が少なくとも１個のロック要素と協働して本体に沿った少なくとも１個の位置から離れた少なくとも１個の更なる位置において回転に対して背骨材を固定していることを特徴とする請求項２に記載のスポーツ機器。
【請求項４】  さらにロック要素が含まれていて、該ロック要素が少なくとも１個のロック要素および他のロック要素と協働して本体に沿った少なくとも１個の位置およびさらなる位置から離れた少なくとも１個の他の位置において背骨材を回転に対して固定していることを特徴とする請求項３に記載のスポーツ機器。
【請求項５】  少なくとも１個のロック要素が背骨材を離脱可能とすべく構成され、背骨材が本体に対して異なる位置に回転し、爾後該異なる位置において少なくとも１個のロック要素により係合されこれにより位置が固定されることを特徴とする請求項２に記載のスポーツ機器。
【請求項６】  背骨材がＩ字形、三角形、ダイヤモンド形、星形、多角形または楕円形のいずれかの断面形状を有していることを特徴とする請求項１に記載のスポーツ機器。
【請求項７】  さらに背骨材には表示器が付設されていて、異なる程度の剛性を示すマークを有していることを特徴とする請求項１に記載のスポーツ機器。
【請求項８】  背骨材の幅が厚さより大であることを特徴とする請求項１に記載のスポーツ機器。
【請求項９】  スポーツ用具がスティック、ラケット、クラブ、バット、ボード、マスト、スキー、ポール、パドル、弓、マレット、バー、フィン、ロッド、ベンチおよび靴からなる群から選ばれることを特徴とする請求項１に記載のスポーツ機器。
【請求項１０】  少なくとも１個のロック要素が会合歯、摩擦フィット、スナップフィットおよびソケット・ラッチ連結のいずれかひとつを含んでいることを特徴とする請求項２に記載のスポーツ機器。
【請求項１１】  本体が中空部を有しており、背骨材が該中空部内にあり、少なくとも１個のロック要素が中空部内において背骨材を回転に対して固定するように配置されていることを特徴とする請求項２に記載のスポーツ機器。
【請求項１２】  背骨材がフレアー状、フルート状および傾斜状のいずれかひとつの形状であることを特徴とする請求項１に記載のスポーツ機器。
【請求項１３】  さらに本体上にマスクが配置されており、該マスクが本体に対する抗撓性背骨材の配列に対する背骨材の剛性または可撓性の程度を示すことを特徴とする請求項１に記載のスポーツ機器。
【請求項１４】  背骨材が中空であることを特徴とする請求項１に記載のスポーツ機器。
【請求項１５】  本体が中空部を有しており、これに背骨材が挿入されていることを特徴とする請求項１に記載のスポーツ機器。
【請求項１６】  スポーツ用具がホッケースティック、ゴルフクラブのいずれかの形状であって、ホッケースティックが本体として中空シャフトを有していてかつ中空シャフトの端部から中空シャフトの延在する方向と異なる方向に突出するブレードを有しており、ゴルフクラブが本体としてクラブシャフトを有していてかつクラブシャフトの端部から延在するクラブヘッドを有していて、該クラブヘッドがクラブシャフトが延在する方向とは異なる方向に延在しかつクラブシャフトの直径より広いことを特徴とする請求項１５に記載のスポーツ機器。
【請求項１７】  背骨材が中空部から突出する部分を有しており、さらに中空部から突出する強化ロッドの部分にキャップが固定されていることを特徴とする請求項１５に記載のスポーツ機器。
【請求項１８】  背骨材と本体の少なくともひとつに表示器が付設されており、該表示器が中空部内の背骨材の配列に対する剛性または可撓性の程度を表示するべく配置されたマークを有していることを特徴とする請求項１５に記載のスポーツ機器。
【請求項１９】  少なくとも１個のさらに延在する中空部が本体内部にあり、少なくとも１個のさらなる強化ロッドがさらなる延在中空部内にあり、さらなる強化ロッドがさらに延在する中空部内に挿入されてかつ特定の方向に他の方向より剛性であり、両方向がさらなる強化ロッドの延在方向を横断しており、本体に付設された表示器が第１に言及した中空部内の第１に言及した強化ロッド配列に対する剛性または可撓性の程度を表示すべく配置されたマークを有しており、本体に更なる表示器が付設されており、該表示器がさらなる中空部内のさらなる強化ロッドの配列に対する剛性または可撓性の程度を表示するべく配置されたマークを有していることを特徴とする請求項１５に記載のスポーツ機器。
【請求項２０】  背骨材が長手軸について複数の相対位置を通って回転すべく構成されていてかついずれかの背骨材が固定された相対位置中の中空部により収容・固定され、スポーツ用具がホッケースティックかゴルフクラブに形成されており、ホッケースティックは中空軸を本体としておよび中空軸の延在する方向とは異なる方向に中空軸の端部から突出するブレードを有しており、ゴルフクラブは本体としてクラブシャフトとクラブヘッドとを有しており、該クラブヘッドはクラブシャフトの端部から延在するとともにクラブシャフトが延在する方向とは異なる方向に延在しており、クラブシャフトの直径より広いことを特徴とする請求項１５に記載のスポーツ機器。
【請求項２１】  さらに中空部内の背骨材の配列に対する剛性または可撓性の程度の表示器が設けられており、該表示器が本体と背骨材との少なくともひとつの上に配置されていることを特徴とする請求項１５に記載のスポーツ機器。
【請求項２２】  少なくとも１個のさらなる延在中空部が本体中にあり、少なくとも１個のさらなる背骨材がさらなる延在中空部内にあり、さらなる背骨材が特定の方向について他の方向よりも強く、両方向がさらなる背骨材の延在方向を横切っており、表示器が背骨材に付設され、さらなる表示器がさらなる背骨材に付設されており、第１に言及した表示器が第１に言及した中空部内の第１に言及した要素の配列に対する剛性または可撓性の程度を示すべく配置されたマークを有しており、さらなる表示器がさらなる中空部内のさらなる要素の配列に対する剛性または可撓性の程度を表示すべく配置されたマークを有していることを特徴とする請求項１５に記載のスポーツ機器。
【請求項２３】  本体を有したスポーツ用具を用意し、抗撓性背骨材を具えた本体に剛性と可撓性の変化を与えて、スポーツ用具が特定方向について異なる方向よりも大なる剛性と小なる可撓性を帯びるようにし、背骨材を本体に沿っての少なくとも１個の位置で回転に対して固定することを特徴とする剛性と可撓性の変更方法。
【請求項２４】  剛性と可撓性の変化を与えるに際して、中空部中に背骨材を挿入して中空部中に延在しかつ嵌合するようにし、該背骨材が厚さとそれより大なる幅を有していることを特徴とする請求項２３に記載の方法。
【請求項２５】  背骨材の剛性または可撓性の程度のマークに基づいて本体に対して背骨材を相対配列することを特徴とする請求項２３に記載の方法。
【請求項２６】  錠止が歯の会合、摩擦嵌合、スナップ嵌合およびソケット・ラチェット連結を含んでいることを特徴とする請求項２３に記載の方法。
【請求項２７】  背骨材がフレアー状、フルート状および傾斜状のいずれかひとつの形状を有していることを特徴とする請求項２３に記載の方法。
【請求項２８】  本体内における背骨材の相対位置に応じて剛性または可撓性の程度の表示をマークすることを特徴とする請求項２３に記載の方法。
【請求項２９】  背骨材が中空であることを特徴とする請求項２３に記載の方法。
【請求項３０】  本体が延在中空部を有しており、該中空部を通って中空部の延在方向に長軸が延在しており、剛性と可撓性の変化を与えるに際して、中空部内で背骨材を回転させて、これによりスポーツ用具を特定方向について異なる方向よりもより剛性にするとともに、異なる方向についてより特定方向よりも可撓性にし、特定方向と異なる方向とを長軸方向を横切るようにし、強化ロッドを複数の相対位置を通って長軸について回転させ、かついずれかの相対位置における中空部内に収容することを特徴とする請求項２２に記載の方法。
【請求項３１】  スポーツ用具がホッケースティックとゴルフクラブとのいずれかの形状を有しており、ホッケースティックが本体としての中空軸と中空軸の端部から中空軸の延在方向と異なる方向に突出するブレードとを有しており、ゴルフクラブが本体としてのクラブシャフトとクラブシャフトの端部からクラブシャフトの延在方向と異なる方向に延在しかつクラブシャフトの直径より広いクラブヘッドを有していることを特徴とする請求項２３に記載の方法。
【請求項３２】  中空部内における背骨材の配列に対する背骨材の剛性または可撓性の程度をマークすることを特徴とする請求項２３に記載の方法。
【請求項３３】  中空部内における背骨材の配列に対する背骨材の剛性または可撓性の程度を印付けることを特徴とする請求項２３に記載の方法。
【手続補正２】
【補正対象書類名】明細書
【補正対象項目名】０００４
【補正方法】変更
【補正の内容】
【０００４】
【発明の概要】
この発明のスポーツ機器は本体を有したスポーツ用具と、特定方向については他の方向よりも剛性がありかつ可撓性が少ない延在抗撓性背骨材とを有しており、該背骨材が本体に沿っての少なくとも１個の位置で回転に対して固定されていることを要旨とするものである。
【手続補正３】
【補正対象書類名】明細書
【補正対象項目名】０００５
【補正方法】変更
【補正の内容】
【０００５】
この発明の方法においては、本体を有したスポーツ用具を用意し、抗撓性背骨材を具えた本体に剛性と可撓性の変化を与えて、スポーツ用具が特定方向について異なる方向よりも大なる剛性と小なる可撓性を帯びるようにし、背骨材を本体に沿っての少なくとも１個の位置で回転に対して固定することを要旨とするものである。